(57)【要約】      （修正有）【課題】車椅子の着座者が自然な姿勢で座ったまま、車椅子移動時に点滴架台を安定して操作することができ、点滴架台と車椅子の接触等による転倒を防ぎ移動時の安全性を向上させることができる車椅子用補助器具を提供する。【解決手段】車椅子Ｋの動きに合わせて、床上を移動可能な点滴架台Ｔを移動させるための車椅子用補助器具１００であって、点滴架台Ｔの起立支柱Ｔ１に対して着脱可能なクランプ部材２と、該クランプ部材２から車椅子Ｋの着座者Ｐに向かって延伸するとともに、その延伸長さを変更可能に構成したアーム３と、アーム３の先端部に設けたグリップ部とを備えた。【選択図】図１
0003161833.tif 000002
【実用新案登録請求の範囲】
【請求項１】
車椅子の動きに合わせて、床上を移動可能な点滴架台を移動させるための車椅子用補助器具であって、
前記点滴架台の起立支柱に対して着脱可能なクランプ部材と、
前記クランプ部材から前記車椅子の着座者に向かって延伸するとともに、その延伸長さを変更可能に構成したアームと、
前記アームの先端部に設けたグリップ部とを備えたことを特徴とする車椅子用補助器具。
【請求項２】
前記アームが、前記着座者に向かって延伸する棒状のアーム本体と、前記クランプ部材に固定され、前記アーム本体が挿入されるアーム本体挿入穴が形成された固定部材と、を具備し、
前記アーム本体の側面にその半径方向に延びるピン挿入穴が一定間隔ごとに設けてあるとともに、前記固定部材に前記アーム本体挿入穴へと貫通するピン固定穴が設けてあり、
前記ピン挿入穴と前記ピン固定穴との両方にピンが差し込むことにより前記アーム本体を前記固定部材に対して固定する請求項１記載の車椅子用補助器具。
【請求項３】
前記アーム本体の側面が軸方向に延びる平面を有し、前記アーム本体挿入穴の形状が当該アーム本体の横断面と同じ形状である請求項２記載の車椅子用補助器具。
【請求項４】
前記アームと前記起立支柱のなす角度を変更可能に構成した請求項１、２又は３記載の車椅子用補助具。
【請求項５】
前記グリップ部が、前記着座者の左右方向に延びる棒状のものである請求項１、２、３又は４記載の車椅子用補助器具。
【請求項６】
前記着座者から視て、前記グリップ部の中央部が、前記起立支柱と略一直線上に並ぶように設けてある請求項５記載の車椅子用補助器具。
【請求項７】
前記クランプ部材が、前記起立支柱が押し当てられる受け部材と、前記受け部材に回動可能に連結してあり、前記起立支柱を前記受け部材に押し当てる押し当て部材と、前記受け部材と前記押し当て部材とを締めつける締めつけ部とを具備し、
前記締めつけ部が、基端を前記受け部材に回動可能に取り付けたねじ部と、前記ねじ部に螺合したナット部と、前記ねじ部の先端部に前記ナット部の当該ねじ部からの脱落を防止する脱落防止部とを具備し、
前記ナット部の一面が前記押し当て部材に接触することにより前記受け部材と前記押し当て部材とを締めつける請求項１、２、３、４、５又は６記載の車椅子用補助器具。
【考案の詳細な説明】
【技術分野】
【０００１】
本考案は、点滴パック等が吊り下げられている点滴架台を車椅子とともに移動させるための車椅子用補助器具に関するものである。
【背景技術】
【０００２】
病院に入院している患者の中には、院内等を動き回る事が可能であっても投薬等のために点滴をし続けておく必要がある人もいる。このような人が、点滴を行いながらも自由に移動できるようにするために、例えば特許文献１に示されるような床上を移動自在なキャスターと、キャスターに垂直に設けられた起立支柱と、起立支柱の上部に設けられた点滴パック等が吊り下げるためのフック部と、を備えた点滴架台が用いられる。
【０００３】
より具体的には、前記点滴架台の起立支柱には、立っている人が点滴架台につかまったり押したりできるように歩行用グリップが設けてあることがあり、自分で歩くことができる人はこの歩行用グリップを握り、点滴架台を押して楽に歩き回ることができる。
【０００４】
ところで、このような歩行用グリップは自分で歩くことができる人が使用することを前提として作られているため、車椅子でしか移動できない人にとっては使い勝手のよいものではない。
【０００５】
例えば、図８に示すように歩行用グリップＧ１は前記起立支柱Ｔ１のごく近傍に設けてあるので、着座者Ｐが歩行グリップＧ１を手に取ろうとすると、点滴架台Ｔと車椅子Ｋとを非常に近づけなくてはならない。すると車椅子Ｋの前輪と点滴架台ＴのキャスターＴ１とが近づきすぎてしまい、ぶつかる等してうまく移動できないことがある。
【０００６】
このような不具合を避けるために、点滴架台Ｔのフック部Ｔ３だけを取り外し、車椅子Ｋの背面等に装着して点滴パックとともに着座者Ｐが移動できるようにする場合もある。ところが、図８に示すように点滴の流量を調整するために輸液ポンプＹ１やシリンジポンプＹ２等の機材が点滴架台Ｔに取り付けられていると、これらのような大型で重い機材を車椅子に乗せ換えるのは手間がかかる。さらに、ポンプの再設定等で間違い生じ、医療ミスとなる危険性もあることから、このような方法は現実的には使いにくい。
【０００７】
そこで、病院内においては、図９に示すように点滴架台Ｔの起立支柱Ｔ２にタオルＧ２を巻き付けることによって、車椅子Ｋの着座者Ｐが前記歩行用グリップＧ１よりも離れた位置から点滴架台Ｔを保持し、介助者Ｓに車椅子Ｋを押してもらうことで点滴架台Ｔも一緒に移動できるようにしていることがある。
【０００８】
しかしながら、このようなタオルＧ２を巻き付けてつかまることができる部分を大きくしたとしても、図８に示すように車椅子Ｋの着座者Ｐは少し前かがみになる等して不自然な姿勢でタオルＧ２をつかみ続ける必要があり、安楽性が損なわれてしまっている。
【０００９】
また、タオルＧ２のような固定手段ではしっかりと固定されていないため、車椅子Ｋの前方で点滴架台Ｔを安定させながら一緒に移動することが難しい。このため、点滴架台Ｔの移動を安定させようとして、人によっては点滴架台Ｔを膝の間に挟んで移動することがあるが、車椅子Ｋの前輪とキャスターＴ１が接触して転倒してしまう恐れがあり、安全性に問題がある。特に、このような操作の安定性や安全性に関する問題は病院内でエレベータに乗り移る時等にある段差を渡らなければならない状況で顕著になる。
【先行技術文献】
【特許文献】
【００１０】
【特許文献１】特開２００３−７０７号公報
【考案の概要】
【考案が解決しようとする課題】
【００１１】
本考案は上述したような問題点を一挙に解決するためになされたものであり、車椅子の着座者が自然な姿勢で座ったまま、車椅子移動時に点滴架台を安定して操作することができ、点滴架台と車椅子の接触等による転倒を防ぎ移動時の安全性を向上させることができる車椅子用補助器具を提供することを目的とする。
【課題を解決するための手段】
【００１２】
すなわち、本考案に係る車椅子用補助器具は、車椅子の動きに合わせて、床上を移動可能な点滴架台を移動させるための車椅子用補助器具であって、前記点滴架台の起立支柱に対して着脱可能なクランプ部材と、前記クランプ部材から前記車椅子の着座者に向かって延伸するとともに、その延伸長さを変更可能に構成したアームと、前記アームの先端部に設けたグリップ部とを備えたことを特徴とする。
【００１３】
このようなものであれば、前記アームがその延伸長さが可変であるので、前記車椅子と前記点滴架台がお互いに干渉しない距離にするとともに、着座者が自然な姿勢で前記グリップ部を掴める位置に設定することができる。
【００１４】
また、前記クランプ部が前記起立支柱に対して着脱可能であることから、前記グリップ部の高さも着座者が掴みやすい高さに設定することができる。
【００１５】
従って、車椅子の着座者は楽な姿勢を保ったまま、しっかりとグリップ部を掴んでアームを介して前記点滴架台の移動を安定して操作することができる。
【００１６】
これらのことから、移動の際に車椅子と点滴架台が接触するのを防ぎつつ、安全に車椅子から点滴架台の移動方向を操作することができ、かつ着座者は自然な姿勢を保つことができ、安楽性の優れたものとすることができる。
【００１７】
前記グリップ部から取り外すことなく、前記アームの長さを簡単に変更できるようにするには、前記アームが、前記着座者に向かって延伸する棒状のアーム本体と、前記クランプ部材に固定され、前記アーム本体が挿入されるアーム本体挿入穴が形成された固定部材と、を具備し、前記アーム本体の側面にその半径方向に延びるピン挿入穴が一定間隔ごとに設けてあるとともに、前記固定部材に前記アーム本体挿入穴へと貫通するピン固定穴が設けてあり、前記ピン挿入穴と前記ピン固定穴との両方にピンが差し込むことにより前記アーム本体を前記固定部材に対して固定するものであればよい。
【００１８】
前記アーム本体が常に同じ向きで前記アーム本体挿入穴に挿入され、ピン固定穴とピン挿入穴がアーム本体の周方向にずれてしまうことを防ぎ、ピンをスムーズに差し替えられるようにするには、前記アーム本体の側面が軸方向に延びる平面を有し、前記アーム本体挿入穴の形状が当該アーム本体の横断面と同じ形状であればよい。
【００１９】
グリップ部の高さを着座者に対してより簡単に設定することができるようにするには、前記アームと前記起立支柱のなす角度を変更可能に構成したものであればよい。
【００２０】
車椅子の着座者が、腕を自然に伸ばすだけで掴むことができ、安楽性を保ったまま点滴架台の操作ができるようにするには、前記グリップ部が前記着座者の左右方向に延びる棒状のものであればよい。このようなものであれば、例えばリウマチ患者等の体を動かしにくい人にとっても移動の際に楽に点滴架台を操作することができる。
【００２１】
車椅子から前記点滴架台の重心を押すことにより操作をしやすくするには、前記着座者から視て、前記グリップ部の中央部が、前記起立支柱と略一直線上に並ぶように設けてあればよい。
【００２２】
前記起立支柱に簡単に取り付けることができるとともに、前記クランプ部材を構成する部品がばらばらになって無くしてしまうのを防ぐことができるようにするには、前記クランプ部材が、前記起立支柱が押し当てられる受け部材と、前記受け部材に回動可能に連結してあり、前記起立支柱を前記受け部材に押し当てる押し当て部材と、前記受け部材と前記押し当て部材とを締めつける締めつけ部とを具備し、前記締めつけ部が、基端を前記受け部材に回動可能に取り付けたねじ部と、前記ねじ部に螺合したナット部と、前記ねじ部の先端部に前記ナット部の当該ねじ部からの脱落を防止する脱落防止部とを具備し、前記ナット部の一面が前記押し当て部材に接触することにより前記受け部材と前記押し当て部材とを締めつけるものであればよい。
【考案の効果】
【００２３】
このように本考案の車椅子用補助器具によれば、車椅子での移動の際に車椅子の前方に点滴架台を一定の距離に保ったまま一緒に移動させることができ、しかも点滴架台の移動方向等を安定して操作することができる。従って、点滴架台を伴った車椅子での移動において従来よりも安全性を向上させることができる。さらに、アームの延伸長さやグリップ部の取り付け位置を自由に設定することができるので、車椅子の着座者の体格に合わせて自然な姿勢で点滴架台を操作することができ、安楽性のよいものにすることができる。
【図面の簡単な説明】
【００２４】
【図１】本考案の一実施形態に係る車椅子用補助器具を示す模式図。
【図２】同実施形態における車椅子用補助器具を示す模式的斜視図。
【図３】同実施形態における起立支柱周辺における模式的拡大斜視図。
【図４】同実施形態におけるクランプ部を示す模式的斜視図。
【図５】同実施形態におけるクランプ部の脱落防止部について説明する模式図。
【図６】同実施形態におけるアーム及びグリップ部を示す模式的拡大斜視図。
【図７】本考案の別の実施形態に係る車椅子用補助器具を示す模式図。
【図８】車椅子から点滴架台を操作するための従来方法の一例を示す模式図。
【図９】車椅子から点滴架台を操作するための従来方法の別の例を示す模式図。
【考案を実施するための形態】
【００２５】
以下、本考案の一実施形態について図面を参照して説明する。
【００２６】
本考案の車椅子用補助器具１００は、図１に示すように車椅子Ｋでの移動の際に、車椅子Ｋの前方に床上を移動可能な点滴架台Ｔを配置した状態でともに略一定距離を保ったまま移動させるために用いられるものである。
【００２７】
より具体的には、前記車椅子用補助器具１００は、前記点滴架台ＴのキャスターＴ１に設けられた起立支柱Ｔ２に取り付けて、車椅子Ｋの着座者Ｐへと延びるロッド状の器具である。移動の際には、車椅子Ｋを介助者Ｓに押してもらいながら、着座者Ｐは車椅子用補助器具１００を用いて前記点滴架台Ｔの移動方向等の操作をすることになる。
【００２８】
前記車椅子用補助器具１００は、図２の斜視図に示すように前記点滴架台Ｔの起立支柱Ｔ２に対して着脱可能なクランプ部材２と、前記クランプ部材２から前記車椅子Ｋの着座者Ｐへと延伸し、その延伸長さを可変に構成したアーム３と、前記アーム３の先端部に設けてあり、前記着座者Ｐにより掴まれるグリップ部４とを備えたものである。なお、前記アーム３には中間省略を施して図示してある。
【００２９】
前記クランプ部材２は、図２及び図３の斜視拡大図に示すように、中央部に起立支柱Ｔ２が通るように形成された貫通孔２６を有する概略直方体形状のものであり、２つに開いて前記起立支柱Ｔ２を挟み込むことができるように構成してある。具体的には、起立支柱Ｔ２が押し当てられる概略直方体形状の受け部材２１と、前記受け部材２１の一端と回転軸２４によって連結してあり、前記起立支柱Ｔ２を前記受け部に押し当てるための押し当て部材２２と、前記受け部材２１と前記押し当て部材２２とを締めつけ、起立支柱Ｔ２に固定するための締めつけ部２３とを備えたものである。
【００３０】
前記受け部材２１は、図４（ａ）に示すように直方体の一側面中央部に前記貫通孔２６の半分が鉛直に設けてあり、その側面の一端が円筒形状に膨出させてあり、前記押し当て部との連結部が形成してある。この連結部には、起立支柱Ｔ２が延びる方向に回転軸２４が形成してあり、図４（ｂ）に示すように前記受け部材２１と前記押し当て部材２２とを２つに開くことができるようにしてある。さらに、他端には後述する締めつけ部２３のねじ部２３１の基端が水平面内で回転可能なように取り付けてあり、前記ねじ部２３１が外側へと出られるように溝２７が形成してある。
【００３１】
前記押し当て部材２２は、概略直方体形状のものであり貫通孔２６の半分が形成してあるほうの側面側において一端が前記連結部にて連結してあり、その反対側の側面には図４（ｃ）に示すように後述する締めつけ部２３のノブナットの一部が嵌合するように嵌合穴が形成してある。この押し当て部においても前記ねじ部２３１が外側へと通過できるように溝２７が形成してある。また、図４（ｃ）に示しているように貫通孔２６の内側面には起立支柱Ｔ２からのずれを防止するためのゴム状のずれ防止部材２５が貼ってある。
【００３２】
前記締めつけ部２３は、前記受け部材２１及び前記押し当て部材２２において連結部とは反対側の端面に設けてあるものであり、基端を前記受け部材２１に回動可能に取り付けたねじ部２３１と、前記ねじ部２３１に螺合したナット部２３２と、前記ねじ部２３１の先端部に前記ナット部２３２の当該ねじ部２３１からの脱落を防止する脱落防止部２３３とを具備し、前記ナット部２３２の一面が前記押し当て部材２２に接触することにより前記受け部材２１と前記押し当て部材２２とを締めつけるものである。
【００３３】
より具体的には、図４及び図５に示すように前記ねじ部２３１はその基端が円環状となったデンデンボルトであり、水平面内に回転可能に取り付けられ、締結時においてその先端が押し当て部材２２の嵌合穴２２１から突出するように設けてある。
【００３４】
前記ナット部２３２は、人が手回しで締めあげていくことのできるノブナット２３２であり、後述する皿ねじよりも先に予めねじ部２３１に螺合させてある。前記ノブナット２３２は、図５（ａ）に示すように手で掴まれるノブ２３２１に対して、前記押し当て部材２２と接触する側が概略円筒形状に突出する凸部２３２２がカラーにより形成してあり、前記嵌合穴２２１と嵌合するようにしてある。この凸部２３２２が前記嵌合穴２２１に入り込むことによって締めつけ力が向上するので、起立支柱Ｔ２からのずれ防止機構が形成してある。
また前記ノブ２３２１の内部には、予めデンデンボルトに螺合させてあるナットＮとそのはめ合いを調節するためのアダプタＡとを介して一体となるようにはめ合わしてある。
【００３５】
前記脱落防止部２３３は、デンデンボルトの先端部には軸方向にねじ穴が設けてあり、頭が前記ナットＮの内径よりも大きい皿ねじＳＣを設けておくことにより、形成してある。図５（ｂ）に示すように、組み立てられると前記ノブナット２３２とキャップとの間に前記皿ねじＳＣが挟まれることになり、前記皿ねじの頭がナットＮと当たるまでしかノブナット２３２を外側へ動かすことができない。このためノブナット２３２をねじ部２３１から脱落させることができず、常に受け部材２１、押し当て部材２２、締めつけ部２３は一体のものとすることができる。従って、ノブナット２３２をねじ部２３１から脱落させたあと無くしてしまい、クランプ部２としての機能を発揮できなくなるといった不具合を無くすことができる。例えば、病院内ではこういった接続部品を無くしてしまいやすい患者さんもおり、このようにノブナット２３２をはずすことができないように構成しておくことの効果はより顕著になる。逆に図５（ｃ）に示すように、前記皿ねじＳＣの頭がキャップと当たるまでしかノブナット２３２を内側へと移動させることができず、常に押し当て部材２２を締めつけるのに適した位置にノブナット２３２をねじ上に配置おくことができる。
【００３６】
さらに、このクランプ部材２には概略コの字状に曲げられた薄板で形成され、前記起立支柱Ｔ２に沿うように設けられたブラケットＢが設けてある。
【００３７】
前記アーム３は、図２、図３及び図６に示すように前記クランプ部材２に取り付けられる概略直方体形状の固定部材３１と、前記固定部材３１に貫通させて取り付けられ、その先端が車椅子Ｋの着座者Ｐ側へと延伸する概略丸棒形状のアーム本体３２とから構成してある。
【００３８】
前記固定部材３１は、図３に示すように前記起立支柱Ｔ２と直交する方向に前記アーム本体３２を通すためのアーム本体挿入穴３１２が形成してあり、前記挿入穴３１２と直交し、前記起立支柱Ｔ２と同じ方向に延びるピン固定穴３１１とが形成してある。
【００３９】
前記アーム本体３２、図６に示すように丸棒の側面に２つの平行な平面３２２が形成してあり、断面が概略トラック形状の部材である。前記アーム３挿入穴も同様の形状をしており、アーム本体３２が挿入される向きが固定されるようにしてある。前記アーム本体３２の基端部であり側面の曲面部には、一定間隔ごとに複数のピン挿入穴３２１が半径方向に形成してある。前記ピン固定穴３１１に対してピン挿入穴３２１の位置を変更し、ピンを差し込むだけで車椅子Ｋの着座者Ｐへのアーム本体３２の延伸している長さを調節することができる。なお、前記アーム本体３２の軸方向の長さは、前記車椅子Ｋの前輪と前記点滴架台ＴのキャスターＴ１とが接触しない程度の距離に保つことができる長さを少なくとも有しており、着座者Ｐの体格に合わせて調整できるように余分の長さも有している。
【００４０】
前記グリップ部４は、図６に示すように前記アーム本体３２の先端から水平方向の両側、すなわち着座者Ｐの左右方向へとそれぞれ延伸するように設けてある概略丸棒形状の部材である。言い換えると前記アーム３と前記グリップ部４によってＴ字型のロッドが形成されることになる。
【００４１】
前記グリップ部４の左右方向への長さは、人の肩幅程度にしてあるとともに、図示するように前記クランプ部２側へと延伸する方が反対側に比べて長くなるように構成してある。言い換えると、着座者Ｐから視て、グリップ部４の略中央部と前記起立支柱Ｔ２が略一直線状に並ぶようにして、点滴架台Ｔを偏らせずに押したり引いたりすることができるようにしてある。
【００４２】
また、前記グリップ部４の各先端にはゴムによるカバー４１が設けてあり、着座者Ｐが手で握ったときに滑らないようにしてある。
【００４３】
このように構成した車椅子用補助器具１００によれば、前記アーム３が前記点滴架台Ｔから着座者Ｐへ向かって延伸する長さが調節可能であるので、着座者Ｐの体格に合わせて車椅子Ｋの前輪と前記点滴架台ＴのキャスターＴ１とがぶつかることなく、しかも、車椅子Ｋから点滴架台Ｔを操作しやすい距離に設定することができる。また、クランプ部２が起立支柱Ｔ２に対する取り付け位置を調節することができるので前記アーム３の先端にあるグリップ部４の高さも調節することができ、着座者Ｐが掴みやすい位置にすることができる。
【００４４】
つまり、延伸長さと高さの調節機構があるので、車椅子Ｋでの移動の際に車椅子Ｋと前方にある点滴架台Ｔの距離を転倒等の危険性の少ない安全な距離でかつ、楽な姿勢でも容易に点滴架台Ｔの移動方向等を操作できる距離に設定することができる。従って、従来のタオルを用いて車椅子Ｋとともに点滴架台Ｔを一緒に動かしていた場合に比べて、安全性と着座者Ｐの安楽性を向上させることができる。
【００４５】
また、前記グリップ部４が前記アーム本体３２の先端部から左右方向に延びるように形成してあり、例えばリウマチ患者等の体の不自由な人でもつかみやすい。また、両手でしっかりと掴むことができるので、点滴架台Ｔの操作の安定性を良くすることができる。このため、床に多少の段差が存在したとしても安全に通過しやすくなる。
【００４６】
その他の実施形態について説明する。
【００４７】
前記実施形態では前記クランプ部２に対して前記アーム３は固定されていたが、図７に示すように前記アーム３と前記起立支柱Ｔ２とのなす角度が変更可能に構成したものであってもよい。
【００４８】
また、前記実施形態ではグリップ部はアームの先端から左右方向に延伸するものであったが、その他の形状であっても構わない。例えば、アームだけで構成してあり、アーム本体の先端にゴムのカバーをかぶせておきグリップ部としても構わない。
【００４９】
前記アーム部の延伸する長さの調節機構はピンによるものに限られない。例えばアーム本体がテレスコピック構造で構成されるものであっても構わない。
【００５０】
その他、本考案の趣旨に反しない限りにおいて、様々な変形や実施形態の組み合わせを行っても構わない。
【符号の説明】
【００５１】
Ｋ・・・車椅子
Ｔ・・・点滴架台
Ｔ２・・・起立支柱
Ｐ・・・着座者
２・・・クランプ部材
２１・・・受け部材
２２・・・押し当て部材
２３・・・締めつけ部
３・・・アーム
３１・・・固定部材
３２・・・アーム本体
３１１・・・ピン固定穴
３１２・・・アーム本体挿入穴
３２１・・・ピン挿入穴
３３・・・ピン
３２２・・・平面
４・・・グリップ部
【図１】
0003161833.tif 000003
【図２】
0003161833.tif 000004
【図３】
0003161833.tif 000005
【図４】
0003161833.tif 000006
【図５】
0003161833.tif 000007
【図６】
0003161833.tif 000008
【図７】
0003161833.tif 000009
【図８】
0003161833.tif 000010
【図９】
0003161833.tif 000011